(57)【要約】【課題】端子カバーの開閉検出性能を向上することができる電力量計を提供する。【解決手段】電力配電線を固定する端子部１３を収納するケース１０と、端子部１３を覆うとともにケース１０に取り付けられる端子カバー１１と、ケース１０内に設けられたスイッチ部１８と、端子カバー１１に形成され且つバネ性を有し、端子カバー１１がケース１０に取り付けられた時にスイッチ部１８を押すスイッチプッシュ部１９とを備える。【選択図】図１
2015215240.tif 000002
【特許請求の範囲】
【請求項１】
電力配電線を固定する端子部を収納するケースと、
前記端子部を覆うとともに前記ケースに取り付けられる端子カバーと、
前記ケース内に設けられたスイッチ部と、
前記端子カバーに形成され且つバネ性を有し、前記端子カバーが前記ケースに取り付けられた時に前記スイッチ部を押すスイッチプッシュ部と、
を備えることを特徴とする電力量計。
【請求項２】
電力配電線を固定する端子部を収納するケースと、
前記端子部を覆うとともに前記ケースに取り付けられる端子カバーと、
前記ケース内に設けられたスイッチ部と、
バネ性を有し、前記端子カバーが前記ケースに取り付けられた時に前記スイッチ部を押すスイッチプッシュ部とを備え、
前記端子カバーには、前記スイッチプッシュ部を取り付けるための取付部が形成されていることを特徴とする電力量計。
【請求項３】
電力配電線を固定する端子部を収納するケースと、
前記端子部を覆うとともに前記ケースに取り付けられる端子カバーと、
前記ケース内に設けられたスイッチ部と、
前記端子カバーが前記ケースに取り付けられた時に前記スイッチ部を押すスイッチプッシュ部と、
前記スイッチプッシュ部が取り付けられるバネとを備え、
前記端子カバーには、前記バネを収納するバネ収納部が形成されていることを特徴とする電力量計。
【請求項４】
前記スイッチプッシュ部は、回転を防止するためのリブを備えることを特徴とする請求項２又は請求項３記載の電力量計。
【請求項５】
前記スイッチプッシュ部の周囲に周壁部を設けたことを特徴とする請求項１乃至請求項４のいずれか１項記載の電力量計。
【請求項６】
前記スイッチプッシュ部は、前記スイッチ部と当接する部分の面積が所定面積以上に設定されていることを特徴とする請求項１乃至請求項５のいずれか１項記載の電力量計。
【請求項７】
前記スイッチプッシュ部は、前記スイッチ部の数に応じて、複数個備えることを特徴とする請求項１乃至請求項６のいずれか１項記載の電力量計。
【発明の詳細な説明】
【技術分野】
【０００１】
本発明は、ケースに対する端子カバーの開閉を検出するためのスイッチ部を有する電力量計に関する。
【背景技術】
【０００２】
電力量計は、電力配電線を固定する端子部と、端子部を収納するケースと、端子部を覆うとともにケースに取り付けられる端子カバーとを有して構成される。このような電力量計では、端子カバーがケースに取り付けられたかどうか、即ち、端子カバーの開閉検出を行っている。
【０００３】
図７は、端子カバーの開閉を検出するためのスイッチ部を有する従来の電力量計の斜視図である。図７（ａ）、図７（ｂ）はケース１０に端子カバー１１を取り付けた状態、図７（ｃ）はケース１０に端子部であるベース１３を収納した状態、図７（ｄ）は端子カバー１１の詳細を示す。
【０００４】
図８は、図７に示す従来の電力量計の分解図である。電力量を表示する表示部１５を有する回路部１４は、ケース１０に収納される。導体部１６には導体部１６に流れる電流を検出するセンサ部１７が取り付けられている。
【０００５】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、端子カバー１１は、ベース１３を覆うとともにケース１０に取り付けられる。
【０００６】
回路部１４にはスイッチ部１８が取り付けられ、端子カバー１１にはスイッチプッシュ部１９が取り付けられている。端子カバー１１がケース１０に取り付けられると、スイッチプッシュ部１９がスイッチ部１８に当接するので、スイッチ部１８がオンする。これにより、端子カバー１１の開閉が検出される。
【０００７】
なお、従来の技術として、例えば、特許文献１に記載された自動検針用通信装置が知られている。自動検針用通信装置は、通信ネットワークを介して外部の管理装置と接続するための回線接続部と、メータに接続された無線子機との間で無線通信を行なう無線親機部と、回線接続部と無線親機部との間の導通／切断を切り替えるスイッチ部と、回線接続部と無線親機部とスイッチ部とを収納するケースと、ケースに取り付けられるカバーと、カバーに形成され、カバーをケースに取り付けるときにスイッチ部を導通状態に切り替えるリブとを備えている。
【先行技術文献】
【特許文献】
【０００８】
【特許文献１】特開２００６−２２１５７４号公報
【発明の概要】
【発明が解決しようとする課題】
【０００９】
しかしながら、図８に示すスイッチ部１８のストロークが短いため、振動、衝撃によりスイッチ部１８とスイッチプッシュ部１９とが離れて、端子カバーの開閉の誤検出が生ずる恐れがあった。また、特許文献１においても、端子カバーの開閉の誤検出が生ずる恐れがあった。
【００１０】
本発明の課題は、端子カバーの開閉検出性能を向上することができる電力量計を提供する。
【課題を解決するための手段】
【００１１】
上記課題を解決するために、本発明に係る請求項１の発明は、電力配電線を固定する端子部を収納するケースと、前記端子部を覆うとともに前記ケースに取り付けられる端子カバーと、前記ケース内に設けられたスイッチ部と、前記端子カバーに形成され且つバネ性を有し、前記端子カバーが前記ケースに取り付けられた時に前記スイッチ部を押すスイッチプッシュ部とを備えることを特徴とする。
【００１２】
請求項２の発明は、電力配電線を固定する端子部を収納するケースと、前記端子部を覆うとともに前記ケースに取り付けられる端子カバーと、前記ケース内に設けられたスイッチ部と、バネ性を有し、前記端子カバーが前記ケースに取り付けられた時に前記スイッチ部を押すスイッチプッシュ部とを備え、前記端子カバーには、前記スイッチプッシュ部を取り付けるための取付部が形成されていることを特徴とする。
【００１３】
請求項３の発明は、電力配電線を固定する端子部を収納するケースと、前記端子部を覆うとともに前記ケースに取り付けられる端子カバーと、前記ケース内に設けられたスイッチ部と、前記端子カバーが前記ケースに取り付けられた時に前記スイッチ部を押すスイッチプッシュ部と、前記スイッチプッシュ部が取り付けられるバネとを備え、前記端子カバーには、前記バネを収納するバネ収納部が形成されていることを特徴とする。
【００１４】
請求項４の発明は、前記スイッチプッシュ部は、回転を防止するためのリブを備えることを特徴とする。
【００１５】
請求項５の発明は、前記スイッチプッシュ部の周囲に周壁部を設けたことを特徴とする。
【００１６】
請求項６の発明は、前記スイッチプッシュ部は、前記スイッチ部と当接する部分の面積が所定面積以上に設定されていることを特徴とする。
【００１７】
請求項７の発明は、前記スイッチプッシュ部は、前記スイッチ部の数に応じて、複数個備えることを特徴とする。
【発明の効果】
【００１８】
本発明によれば、スイッチプッシュ部は、バネ性を有するので、スイッチ部とスイッチプッシュ部とが離れることは無くなる。従って、端子カバーの開閉の誤検出がなくなり、端子カバーの開閉検出性能を向上することができる電力量計を提供することができる。
【図面の簡単な説明】
【００１９】
【図１】本発明の実施例１に係る電力量計においてスイッチプッシュ部が一体化された端子カバーを示す概略構成図である。
【図２】本発明の実施例２に係る電力量計において端子カバーとは別体に設けたスイッチプッシュ部を端子カバーに取り付けた状態を示す概略構成図である。
【図３】本発明の実施例３に係る電力量計においてスイッチプッシュ部をバネに取り付けて端子カバーに収納した状態を示す概略構成図である。
【図４】本発明の実施例４に係る電力量計において回転防止リブが形成されたスイッチプッシュ部をバネに取り付けて端子カバーに収納した状態を示す概略構成図である。
【図５】本発明の実施例５に係る電力量計においてスイッチプッシュ部の周囲で且つ端子カバーに形成されたリブを示す概略構成図である。
【図６】本発明の実施例６に係る電力量計においてスイッチ当接面積を広げたスイッチプッシュ部をバネに取り付けて端子カバーに収納した状態を示す概略構成図である。
【図７】端子カバーの開閉を検出するためのスイッチ部を有する従来の電力量計の斜視図である。
【図８】図７に示す従来の電力量計の分解図である。
【発明を実施するための形態】
【００２０】
以下、本発明の実施の形態に係る電力量計について、図面を参照しながら詳細に説明する。
【実施例１】
【００２１】
図１は、本発明の実施例１に係る電力量計においてスイッチプッシュ部１９ａが一体化された端子カバー１１Ａを示す概略構成図である。なお、端子カバー１１Ａ以外の部分は、図７に示す電力量計の構成と同じであるので、ここでは、端子カバー１１Ａの構成について説明する。
【００２２】
図１に示す端子カバー１１Ａには、コの字状に段部１１ａが形成され、この段部１１ａは、端子カバー１１Ａをケース１０へ取り付けた時に、ケース１０のカバー接触部１０ａ（図８に示す）に当接する。
【００２３】
コの字状をなす段部１１ａの長手方向に沿って、端子カバー１１Ａからスイッチプッシュ部１９ａが突出している。このスイッチプッシュ部１９ａの先端には突起部２０が形成され、この突起部２０は、端子カバー１１Ａをケース１０へ取り付けた時に、スイッチ部１８に当接するようになっている。
【００２４】
スイッチプッシュ部１９ａは、バネ性（弾力性）を有し、例えば、ポリカーボネートなどの熱可塑性プラスチックからなる。端子カバー１１Ａも例えば、ポリカーボネートなどの熱可塑性プラスチックからなる。即ち、バネ性を有するスイッチプッシュ部１９ａは、端子カバー１１Ａと一体成形されている。
【００２５】
このように構成された端子カバー１１Ａによれば、バネ性を有するスイッチプッシュ部１９ａは、端子カバー１１Ａと一体成形され、スイッチプッシュ部１９ａの先端に突起部２０が形成されているので、端子カバー１１Ａをケース１０へ取り付けた時に、突起部２０がスイッチ部１８に当接してスイッチ部１８を押しスイッチ部１８をオンさせる。
【００２６】
また、振動、衝撃が発生しても、スイッチプッシュ部１９ａがバネ性を有するので、スイッチ部１８とスイッチプッシュ部１９ａとが離れることは無くなる。従って、端子カバー１１Ａの開閉の誤検出がなくなり、端子カバーの開閉検出性能を向上することができる。
【実施例２】
【００２７】
図２は、本発明の実施例２に係る電力量計において端子カバー１１Ｂとは別体に設けたスイッチプッシュ部１９ｂを端子カバー１１Ｂに取り付けた状態を示す概略構成図である。図２（ａ）は、スイッチプッシュ部１９ｂを端子カバー１１Ｂに取り付けた斜視図、図２（ｂ）は端子カバー１１Ｂとスイッチプッシュ部１９ｂとの分解斜視図、図２（ｃ）は端子カバー１１Ｂとスイッチプッシュ部１９ｂとの断面図である。
【００２８】
スイッチプッシュ部１９ｂは、図２（ｂ）に示すように、３つの脚部１９１〜１９３、これらを連結する連結部１９４、脚部１９２，１９３の先端に形成された爪部１９５，１９６、脚部１９１の先端に形成された突起部２０ａから構成されている。スイッチプッシュ部１９ｂは、バネ性を有し、例えば、ポリカーボネートなどの熱可塑性プラスチックからなり、端子カバー１１Ｂがケース１０に取り付けられた時にスイッチ部１８を押す。
【００２９】
図２（ｂ）に示すように、端子カバー１１Ｂには、スイッチプッシュ部１９ｂを取り付けるための取付部としての突出部１１ｂ，１１ｃが形成されている。突出部１１ｂ，１１ｃには、溝部１１ｄ，１１ｅが形成されている。
【００３０】
図２（ｃ）に示すように、スイッチプッシュ部１９ｂの脚部１９２に形成された爪部１９５が端子カバー１１Ｂの突出部１１ｂに形成された溝部１１ｄに引っ掛けられている。脚部１９３に形成された爪部１９６が端子カバー１１Ｂの突出部１１ｃに形成された溝部１１ｅに引っ掛けられている。
【００３１】
このように構成された実施例２の端子カバー１１Ｂによれば、バネ性を有するスイッチプッシュ部１９ｂは、上述したように端子カバー１１Ｂに取り付けられ、スイッチプッシュ部１９ｂの先端に突起部２０ａが形成されているので、端子カバー１１Ｂをケース１０へ取り付けた時に、突起部２０ａがスイッチ部１８に当接してスイッチ部１８を押しスイッチ部１８をオンさせる。
【００３２】
また、振動、衝撃が発生しても、スイッチプッシュ部１９ｂがバネ性を有するので、スイッチ部１８とスイッチプッシュ部１９ｂとが離れることは無くなる。従って、端子カバー１１Ｂの開閉の誤検出がなくなり、端子カバー１１Ｂの開閉検出性能を向上することができる。
【００３３】
また、スイッチプッシュ部１９ｂを端子カバー１１Ｂとは、別部品とすることで、スイッチプッシュ部１９ｂの堅牢性を高めて保護することができ、スイッチプッシュ部１９ｂの破損時にも交換することができる。
【実施例３】
【００３４】
図３（ａ）は、本発明の実施例３に係る電力量計においてスイッチプッシュ部１９ｃをバネ２１に取り付けて端子カバー１１Ｃに収納した状態を示す概略構成図である。図３（ｂ）は、スイッチプッシュ部１９ｃとバネ２１と端子カバー１１Ｃとの分解斜視図である。
【００３５】
スイッチプッシュ部１９ｃは、凸部をなした小型部品であり、図３（ｃ）に示すように、スイッチプッシュ部１９ｃの突起部分がバネ２１に取り付けられている。端子カバー１１Ｃには、バネ２１を収納するための円筒状のバネ収納部１１０が形成されている。バネ収納部１１０の底部には、図３（ｄ）に示すように、テーパ部１１２が形成され、このテーパ部１１２によりバネ２１が固定されている。
【００３６】
このように構成された実施例３の端子カバー１１Ｃによれば、スイッチプッシュ部１９ｃが取り付けられたバネ２１がバネ収納部１１０に収納される。端子カバー１１Ｃをケース１０へ取り付けた時に、バネ２１に取り付けられたスイッチプッシュ部１９ｃがスイッチ部１８に当接してスイッチ部１８を押しスイッチ部１８をオンさせる。
【００３７】
また、振動、衝撃が発生しても、バネ２１の弾力性により、スイッチ部１８とスイッチプッシュ部１９ｃとが離れることは無くなる。従って、端子カバー１１Ｃの開閉の誤検出がなくなり、端子カバー１１Ｃの開閉検出性能を向上することができる。
【００３８】
また、バネ２１によりスイッチプッシュ部１９ｃを小型化し、バネ２１の信頼性を高めることができる。
【実施例４】
【００３９】
図４（ａ）は、本発明の実施例４に係る電力量計において回転防止リブ２２が形成されたスイッチプッシュ部１９ｄをバネ２１に取り付けて端子カバー１１Ｄに収納した状態、図４（ｂ）は回転防止リブ２２が形成されたスイッチプッシュ部１９ｄとバネ２１と端子カバー１１Ｄとの分解斜視図である。
【００４０】
図４に示す構成は、図３に示す構成に対して、スイッチプッシュ部１９ｄ、バネ収納部１１３、ガイド部１１４が異なるので、異なる部分のみについて説明する。
【００４１】
スイッチプッシュ部１９ｄは、凸部をなした小型部品であり、回転を防止するための回転防止リブ２２が形成されている。バネ収納部１１３には、回転防止リブ２２を上下移動させるための切欠きからなるガイド部１１４が形成されている。
【００４２】
このように構成された実施例４の端子カバー１１Ｄによれば、スイッチプッシュ部１９ｄが取り付けられたバネ２１が穴部１１１を介してバネ収納部１１３に収納される。このとき、回転防止リブ２２は、ガイド部１１４に挿入される。端子カバー１１Ｄをケース１０へ取り付けた時に、スイッチプッシュ部１９ｄがスイッチ部１８に当接してスイッチ部１８を押しスイッチ部１８をオンさせる。
【００４３】
また、振動、衝撃が発生しても、バネ２１の弾力性により、スイッチ部１８とスイッチプッシュ部１９ｄとが離れることは無くなる。従って、端子カバー１１Ｄの開閉の誤検出がなくなり、端子カバー１１Ｄの開閉検出性能を向上することができる。
【００４４】
また、スイッチプッシュ部１９ｄに回転防止リブ２２を設けたので、スイッチ部１８とスイッチプッシュ部１９ｄとの位置がずれていてもスイッチプッシュ部１９ｄが回転しないから、スイッチプッシュ部１９ｄをスイッチ部１８に当接させることができる。
【実施例５】
【００４５】
図５（ａ）は、本発明の実施例５に係る電力量計においてスイッチプッシュ部１９ｂの周囲で且つ端子カバー１１Ｅに形成されたリブ１１５を示す概略構成図である。図５（ｂ）は、リブ１１５が形成された端子カバー１１Ｅとスイッチプッシュ部１９ｂとの分解斜視図である。
【００４６】
図５に示すスイッチプッシュ部１９ｂは、図２に示すスイッチプッシュ部１９ｂと同一構成からなり、端子カバー１１Ｅに取り付けられている。リブ１１５は、端子カバー１１Ｅから突出して形成され、スイッチプッシュ部１９ｂの左右側面の周囲を覆う周壁部からなる。
【００４７】
このように実施例５の端子カバー１１Ｅによれば、スイッチプッシュ部１９ｂの周囲にリブ１１５を設けることにより、悪意のある第３者がスイッチプッシュ部１９ｂを操作できなくなる。従って、悪意のある第３者に対するイタズラ防止対策を施すことができる。
【実施例６】
【００４８】
図６（ａ）は、本発明の実施例６に係る電力量計においてスイッチ当接面積を広げたスイッチプッシュ部１９ｅをバネ２１に取り付けて端子カバー１１Ｆに収納した状態を示す概略構成図である。図６（ｂ）は、スイッチプッシュ部１９ｅとバネ２１と端子カバー１１Ｆとの分解斜視図である。
【００４９】
スイッチプッシュ部１９ｅは、スイッチ当接面積が所定面積以上に設定された平板と回転防止リブ２２とを有する。図６に示すその他の構成は、図５に示す構成と同一であるので、それらの説明は省略する。
【００５０】
このようにスイッチプッシュ部１９ｅは、スイッチ当接面積が所定面積以上に設定されているので、端子カバー１１Ｆをケース１０に取り付けた時に、スイッチプッシュ部１９ｅは、スイッチ部１８に当接し、振動、衝撃が加わってもスイッチ部１８のオン動作を維持することができる。
【００５１】
なお、本発明は、上述した実施例１乃至実施例６の電力量計に限定されることはない。実施例１乃至実施例６では、スイッチ部１８を１個設けたが、例えば、スイッチ部１８を複数個設け、スイッチ部１８の数に応じてスイッチプッシュ部１９を複数個設けるようにても良い。
【００５２】
また、実施例１乃至実施例６の電力量計の２つ以上の実施例を組み合わせても良い。このようにすれば、さらに、効果が大となる。
【符号の説明】
【００５３】
１０  ケース
１１，１１Ａ，１１Ｂ，１１Ｃ，１１Ｄ，１１Ｅ，１１Ｆ  端子カバー
１１ａ  段部
１１ｂ，１１ｃ  突出部
１１ｄ，１１ｅ  溝部
１３  ベース
１４  回路部
１５  表示部
１６  導体部
１７  センサ部
１８  スイッチ部
１９，１９ａ，１９ｂ，１９ｃ，１９ｄ，１９ｅ  スイッチプッシュ部
２０，２０ａ  突起部
２１  バネ
２２  回転防止リブ
１１０，１１３  バネ収納部
１１１  穴部
１１２  テーパ部
１１４  ガイド部
１１５  リブ
１９１，１９２，１９３  脚部
１９４  連結部
１９５，１９６  爪部
【図１】
2015215240.tif 000003
【図２】
2015215240.tif 000004
【図３】
2015215240.tif 000005
【図４】
2015215240.tif 000006
【図５】
2015215240.tif 000007
【図６】
2015215240.tif 000008
【図７】
2015215240.tif 000009
【図８】
2015215240.tif 000010